【事件の表示】
　平成　１年特許願第　３２２１３号「テレビジョン受像機のビデオ信号処理回路」拒絶査定に対する審判事件［平成　２年　８月２３日出願公開、特開平　２−２１１７７７］について、次のとおり審決する。
【結　論】
　本件審判の請求は、成り立たない。
【理　由】
　１．本件発明
　本願は、平成1年2月10日の出願であって、その発明（以下「本件発明」という。）は、補正された明細書及び図面の記載からみて、特許請求の範囲（請求項の数1）に記載された、次に掲げるとおりのものである。
「入力されたビデオ信号のペデスタルレベルを所定値にクランプするペデスタルクランプ回路と、
　上記ペデスタルクランプ回路からのペデスタルレベルがクランプされたビデオ信号が入力として供給され、その出力が画像表示装置に供給される可変ゲインの増幅回路と、
　上記ペデスタルクランプ回路からのペデスタルレベルがクランプされたビデオ信号のピークレベルを検出するピークレベル検出手段と、
　上記ピークレベル検出手段で検出されたビデオ信号のピークレベルと、上記増幅回路からのビデオ信号が供給される上記画像表示装置においてビデオ信号の最大レベルと定められた所定値とを比較し、上記増幅回路から出力されるビデオ信号のピークレベルが上記所定値となるように上記増幅回路のゲインをフィードフォワード制御するゲイン制御手段と
　を備えるようにしたことを特徴とするテレビジョン受像機のビデオ信号処理回路」
　２．刊行物1,2発明
（刊行物1発明）
　これに対して、当審の拒絶理由に引用された、本願の出願の日前の昭和62年10月30日に頒布された特開昭62-249568号公報には、次に掲げる(1)から(5)の事項からなる画質調整回路（以下「刊行物1発明」という。）が記載されている。
　(1)第１図はこの発明の実施例による画質調整回路のブロック図である。図において、(1)は標本化された輝度信号（同期信号は既に除去されているものとする。）を導く入力端子であり、この輝度信号は線(2)を介して平均輝度検出回路(3)、輝度信号ピーク検出回路(4)、および演算回路(5)に入力される。平均輝度検出回路(3)の出力信号(3a)および輝度信号ピーク検出回路(4)の出力信号(4a)および(4b)は制御回路(6)に入力される。制御回路(6)は、例えば１チップ形式のマイクロコンピュータからなり、その出力信号(6a)および(6b)は演算回路(5)に入力される。演算回路(5)の出力信号(5a)は輝度およびコントラストが調整された輝度信号として出力端子(7)に導かれる。（2頁右下欄4行ないし下から4行）
　(2)出力信号(4a)および(4b)は予め定められた期間における輝度信号の最大値ＹＭＡＸおよび最小値ＹＭＩＮを表すものとなる。（3頁右下欄末行ないし次頁3行）
　(3)制御回路(6)は上式の演算により算出した制御定数K1およびK2を出力信号(6a)および(6b)により送出する。演算回路(5)において、乗算回路(51)は制御定数K1により入力値ＹＩＮを有する線(2)の輝度信号に対して乗算処理をし、更にその結果の出力信号(51a)を加算回路(52)に入力する。加算回路(52)は出力信号(51a)と制御定数K2とを加算して輝度およびコントラストが調整された出力値Ｙoutの出力信号(5a)を得る。出力信号(5a)は図示なしのテレビジョン受像機上に表示される。
（4頁右上欄下から10行ないし末行）
　(4)第５図(a)はΔＷ＝０の場合を示し、(イ)に示す線(2)の輝度信号が演算回路(5)の制御により、(ロ)に示すように、白レベル設定値Ｗと黒レベル設定値Ｂとの間のダイナミック・レンジを有効に利用した出力信号(5a)に調整されたことを示す。（4頁左下欄3行ないし7行）
　(5)表示装置のダイナミック・レンジに対応した値に自動的に調整するように制御したので、与えられているダイナミック・レンジを有効に利用した画像を形成することができる。（5頁左上欄1行から4行）
（刊行物2発明）
　また、原審の拒絶理由に引用された、本願の出願の日前の昭和63年9月20日に頒布された実願昭62-35526号（実開昭63-142968号公報）には、次に掲げる輝度・コントラスト制御回路（以下「刊行物2発明」という。）が記載されている。
「クランプ回路４でクランプされた映像信号は、本考案の輝度およびコントラスト制御用電圧の形成に利用されるとともに、従来の液晶テレビと同様に増幅回路９に与えられて増幅され、後段のビデオＩＣに与えられる。すなわち、この実施例では、従来のクランプ回路４を、本考案の輝度・コントラスト制御回路３に兼用しているもの」（4頁下から6行ないし次頁2行）
　３．刊行物1発明と本件発明との対比・検討
　そこで、刊行物1発明における事項と本件発明における事項とを対比・検討すると、次に掲げる(1)から(3)の事項がそれぞれ相当ないしは対応する。
　(1)刊行物1発明における「演算回路(5)」は、入力輝度信号（ＹＩＮ）を表示装置のダイナミック・レンジに対応して輝度およびコントラストが調整された出力輝度信号（Ｙout）とするために制御回路(6)で制御されている（上記２(1)(4)(5)を参照）から、本件発明における「可変ゲインの増幅回路(3)」に対応する。
　(2)刊行物1発明における「輝度信号ピーク検出回路(4)」は、輝度信号の最大値ＹＭＡＸを検出するから、本件発明における「ピークレベル検出手段(4)」に対応する。
　(3)刊行物1発明における「制御回路(6)」は、白レベル設定値Ｗ、黒レベル設定値Ｂ、輝度信号の最大値ＹＭＡＸ及び最小値ＹＭＩＮに関係する制御定数K1及びK2を算出し、輝度信号の最大値ＹＭＡＸが白レベル設定値Ｗとなるように演算回路(5)をフィードフォワードで調整する（上記２(3)(4)を参照）、すなわち、輝度信号の最大値ＹＭＡＸと白レベル設定値Ｗとの差（比較）に応じて演算回路(5)をフィードフォワードで調整するから、実質的に、本件発明における「ゲイン制御手段(21,22)」に相当する。
　４．刊行物1発明と本件発明との一致点・相違点
　上記３の対比・検討から刊行物1発明と本件発明とは、
「ビデオ信号が入力として供給され、その出力が画像表示装置に供給される可変ゲインの増幅回路と、
　上記ビデオ信号のピークレベルを検出するピークレベル検出手段と、
　上記ピークレベル検出手段で検出されたビデオ信号のピークレベルと、上記増幅回路からのビデオ信号が供給される上記画像表示装置においてビデオ信号の最大レベルと定められた所定値とを比較し、上記増幅回路から出力されるビデオ信号のピークレベルが上記所定値となるように上記増幅回路のゲインをフィードフォワード制御するゲイン制御手段と
　を備えるようにしたことを特徴とするテレビジョン受像機のビデオ信号処理回路」
で一致し、次に掲げる点で相違する。
　上記「ビデオ信号」が、本件発明においては「ペデスタルクランプ回路(2)」でペデスタルレベルがクランプされているのに対して、刊行物1発明においてはこのような「ペデスタルクランプ回路」について記載されていない点
　５．相違点についての検討
　刊行物1発明においては、輝度信号ピーク検出回路(4)で輝度信号の最小値ＹＭＩＮを出力することで、輝度信号のペデスタルレベルを考慮し、演算回路(5)で黒レベル設定値Ｂを設定することで、輝度信号のペデスタルレベルを考慮しているといえる。
　すなわち、刊行物1発明においては、入力輝度信号（ＹＩＮ）は、輝度信号ピーク検出回路(4)と演算回路(5)にそれぞれ入力され、それぞれの回路にて入力輝度信号（ＹＩＮ）のペデスタルレベルが考慮されて処理されている。
　一方、刊行物2発明は、映像信号をそれぞれ処理するに当たり、クランプ回路４を兼用するものであるから、刊行物1発明において、それぞれの回路で実質的にペデスタルレベルをクランプする処理（クランプ回路）を兼用させること、すなわち、刊行物1発明において、入力輝度信号（ＹＩＮ）のペデスタルレベルをクランプするクランプ回路を設けることは、当業者であれば、容易になし得ることと認められる。
　６．むすび
　以上のとおりであるから、本件発明は、刊行物1,2発明に基いて、当業者が容易に発明をすることができたものと認められるので、特許法第29条第2項の規定により特許を受けることができない。
　よって、結論のとおり審決する。